(57)【要約】【課題】鉄道車両用の簡便な無線による照明制御システム、照明制御装置及び照明装置を提供する。【解決手段】照明制御システムが、照明制御装置及び該照明制御装置照明制御装置を備え、照明制御装置が照明装置の点灯状態を指示する照明指令情報に識別符号を付加した照明指令信号を指令送信し、前記照明指令信号を受信した各前記照明装置が、前記識別符号と自らに予め与えられた識別符号との判別を行い、それぞれの符号が一致した場合に、前記照明指令情報の内容に基づいて自らの点灯状態を設定し、受信した前記照明指令信号を中継送信する。【選択図】図１
2015041548.tif 000002
【特許請求の範囲】
【請求項１】
列車に備えられる照明制御システムであって、
列車編成を判別する識別符号が蓄積された識別符号蓄積部及び無線の通信手段を有する、少なくとも１つの照明制御装置及び該照明制御装置により制御される複数の照明装置が備えられ、
前記照明制御装置及び前記複数の照明装置に給電が行われた後に以下の動作をすることを特徴とする照明制御システム。
ア）前記照明制御装置及び前記複数の照明装置において前記識別符号蓄積部から識別符号が読み込まれると共に前記照明制御装置において照明指令情報が予め定められた初期状態に設定され、前記複数の照明装置において点灯状態が予め定められた初期状態に設定される。
イ）前記照明制御装置が、前記照明装置の点灯状態を指示する照明指令情報に識別符号を付加した照明指令信号を所定の時間毎に繰り返し指令送信する。
ウ）前記照明指令信号を受信した各前記照明装置が、前記識別符号と自らに予め与えられた識別符号との判別を行い、それぞれの符号が一致した場合に、前記照明指令情報の内容に基づいて自らの点灯状態を設定し、受信した前記照明指令信号を中継送信する。
【請求項２】
前記照明制御装置による前記照明指令信号の送信が所定の毎に繰り返しランダムな時間遅延後に行われ、その際にランダムに生成された送信用ＩＤを伴うことを特徴とする請求項１に記載の照明制御システム。
【請求項３】
前記照明装置において、前記中継送信がランダムな時間遅延を待って行われることを特徴とする請求項１又は２に記載の照明制御システム。
【請求項４】
前記照明装置において、前記照明制御装置からの前記照明指令信号の送信が所定の時間毎に繰り返し行われなくなった場合に、点灯状態を前記初期状態に設定することを特徴とする請求項1乃至３の何れかに記載の照明制御システム。
【請求項５】
前記中継送信が前記送信用ＩＤが異なる場合に行われることを特徴とする請求項1乃至４の何れかに記載の照明制御システム。
【請求項６】
前記指令送信及び前記中継送信が、前記識別符号に基づいて暗号化されて行われることを特徴とする請求項1乃至５何れかに記載の照明制御システム。
【請求項７】
列車編成を判別する識別符号が蓄積された識別符号蓄積部及び無線の通信手段が備えられ、給電が行われた後に、前記識別符号蓄積部から識別符号が読み込まれ、所定の時間間隔にランダムな時間遅延を加えた時期に、照明装置の点灯状態を指示する照明指令情報に前記識別符号を付加した照明指令信号を識別符号により暗号化して指令送信することを特徴とする照明制御装置。
【請求項８】
列車編成を判別する識別符号が蓄積された識別符号蓄積部及び無線の通信手段が備えられ、給電が行われた後に、点灯状態を初期状態に設定し、受信した照明指令信号の中の照明指令情報を含む暗号化情報を前記識別符号で解読し、前記識別符号と自らに予め与えられた識別符号との判別を行い、それぞれの符号が一致した場合に、前記照明指令情報の指示する内容に基づいて自らの点灯状態を設定し、受信した前記照明指令信号をランダムな時間遅延後に中継送信することを特徴とする照明装置。
【発明の詳細な説明】
【技術分野】
【０００１】
本発明は鉄道車両用の照明制御システムに関する。
【背景技術】
【０００２】
従来の鉄道車両用の照明制御システムは、電源用の電線と共に制御用の電線を敷設し、室内照明の明るさを調節（調光）や照明色の調節（調色）を行っていた。従来使われている蛍光灯に替わってＬＥＤ照明を主照明に採用した鉄道車両では、ＬＥＤ照明の灯具に電力を供給する電源装置が集約できるため、蛍光灯を主照明とする場合に比較して、少ない本数の調光用制御配線を調光用制御装置から電源装置へ配設するのみで、調光制御を実現することができる。さらに、ＬＥＤは蛍光灯に比較して応答性（制御性）が高いなど、調光制御を導入しやすい面がある（参考文献１を参照）。
【０００３】
しかしながら、鉄道車両には、主に主電動機へ電力を供給する高電圧回路や、空調装置等のサービス機器へ電力を供給する低電圧回路や、車内の情報端末へ情報等を伝送する伝送回路や、保安設備等の信号回路等様々な回路が搭載されていので前述した様々の回路から生じる放射ノイズの影響を受けやすい。また、新たに設置されるＬＥＤの制御には新たな制御線の敷設が必要であり敷設の工数が掛かるという問題点があることが、既設の車両に新たにＬＥＤ照明を導入することを妨げている。
【先行技術文献】
【特許文献】
【０００４】
【特許文献１】特開２０１２−８６８１３号公報
【発明の概要】
【発明が解決しようとする課題】
【０００５】
上述のように、鉄道車両にＬＥＤ照明を導入することは利点が多い半面、新たにＬＥＤ照明を導入するため必要な制御線の敷設の問題の検討が必要になる。そこで、発明者らはＬＥＤ照明の制御の構成について研究開発を行った。その結果、制御線の敷設が省略できる無線によるＬＥＤ照明制御システムの発明の完成に至ったものである。
【０００６】
本発明は鉄道車両用の簡便な無線による照明制御システム、照明制御装置及び照明装置を提供することを目的とする。
【課題を解決するための手段】
【０００７】
請求項１に記載された発明は、列車に備えられる照明制御システムであって、列車編成を判別する識別符号が蓄積された識別符号蓄積部及び無線の通信手段を有する、少なくとも１つの照明制御装置及び該照明制御装置により制御される複数の照明装置が備えられ、
前記照明制御装置及び前記複数の照明装置が動作開始後に以下の動作をすることを特徴とする照明制御システム。
ア）前記照明制御装置及び前記複数の照明装置において前記識別符号蓄積部から識別符号が読み込まれると共に前記照明制御装置において指令情報が予め定められた初期状態に設定され、前記複数の照明装置において点灯状態が予め定められた初期状態に設定される。
イ）前記照明制御装置が、前記照明装置の点灯状態を指示する照明指令情報に識別符号を付加した照明指令信号を所定の時間毎に指令送信する。
ウ）前記照明指令信号を受信した各前記照明装置が、前記識別符号と自らに予め与えられた識別符号との判別を行い、それぞれの符号が一致した場合に、前記照明指令情報の内容に基づいて自らの点灯状態を設定し、受信した前記照明指令信号を中継送信する。
【０００８】
本発明の照明制御システムは、給電開始後に照明制御装置及び複数の照明装置に予め付与された同じ識別符号が読み込まれるので、照明制御装置及び複数の照明装置が識別符号を共有する。前記照明制御装置が、前記照明装置の点灯状態を指示する照明指令情報に識別符号を付加した照明指令信号を無線で指令送信し、前記照明指令信号を受信した各前記照明装置が、前記識別符号と自らに予め与えられた識別符号との判別を行うので、誤動作が防止される。そして、それぞれの符号が一致した場合に、前記照明指令情報の内容に基づいて自らの点灯状態を設定し、前記照明指令信号を無線で中継送信する。
【０００９】
請求項２に記載された発明は、請求項１に記載の照明制御システムにおいて、前記照明制御装置による前記照明指令信号の指令送信が所定の時間毎に繰り返しランダムな時間遅延後に行われ、その際にランダムに生成された送信用ＩＤを伴うことを特徴とする。
【００１０】
照明制御装置による前記照明指令信号の送信が所定の時間毎に行われる。送信が所定の時間毎に行われることで照明制御装置が正常に稼働していることを照明装置が知ることになる。また、照明指令信号の送信がランダムに生成された送信用ＩＤを伴うので、照明装置は中継送信の重複を避けることができる。
【００１１】
請求項３に記載された発明は、請求項１又は２に記載の照明装置において、前記中継送信がランダムな時間遅延を待って行われることを特徴とする。
【００１２】
複数の照明装置がランダムな時間経過後に中継送信をするので、互いの信号の送信が異なる時刻に行われる。
【００１３】
請求項４に記載された発明は、求項１乃至３の何れかに記載の照明制御システムにおいて、前記照明制御装置からの前記照明指令信号の送信が所定の時間内に行われなくなった場合に、点灯状態を前記初期状態に設定することを特徴とする。
【００１４】
正常時には、照明制御装置から照明装置への指令信号の発信は所定の時間毎に繰り返し行われる。この繰り返し性が失われたときは照明制御システムに故障が起きたと判断され、各照明装置はデフォルトで初期状態へ移行する。初期状態では必要な照度が得られるように設定されるので、列車内の安全が保たれる。
【００１５】
請求項５に記載された発明は、請求項１乃至４の何れかに記載の照明制御システムにおいて、前記中継送信が送信用ＩＤの変わる度に行われることを特徴とする。
【００１６】
照明装置での中継送信は各照明装置で行われるので、中継のループを起こさないように、過去に受信した送信用ＩＤで無いものについて中継送信を行うことで中継動作の制御を行う。
【００１７】
請求項６に記載された発明は、請求項１乃至５の何れかに記載の照明制御システムにおいて、前記識別符号に基づいて暗号化されて行われることを特徴とする。
【００１８】
識別符号は列車の編成により一意的に決められるので、他の列車の信号と明確に判別することができる。
【００１９】
請求項７に記載された発明は、列車編成を判別する識別符号が蓄積された識別符号蓄積部及び無線の通信手段が備えられ、給電が行われた後に、前記識別符号蓄積部から識別符号が読み込まれ、所定の時間間隔にランダムな時間遅延を加えた時期に、照明装置の点灯状態を指示する照明指令情報に前記識別符号を付加したものを識別符号により暗号化して照明指令信号として指令送信することを特徴とする照明制御装置である。
【００２０】
電源投入後に、列車編成を判別する識別符号が読み込まれて照明装置の点灯状態を指示する照明指令情報に前記識別符号を付加したものを識別符号により暗号化して照明指令信号として指令送信する。この送信は所定の時間間隔にランダムな時間遅延を加えた時期に行われる。
【００２１】
請求項８に記載された発明は、列車編成を判別する識別符号が蓄積された識別符号蓄積部及び無線の通信手段が備えられ、給電が行われた後に、点灯状態を初期状態に設定し、受信した照明指令情報を含む暗号化情報を前記識別符号で解読し、前記識別符号と自らに予め与えられた識別符号との判別を行い、それぞれの符号が一致した場合に、前記照明指令情報の指示に基づいて自らの点灯状態を設定し、受信した前記照明指令信号をランダムな時間遅延後に中継送信することを特徴とする照明装置である。
【００２２】
照明装置は、電源投入後に暗号解読に必要な識別符号を読み込む。信号を受信して識別符号が一致すれば、信号に含まれる照明指令に基づいて自分の点灯状態を設定し、受信した照明指令信号をランダムな時間遅延後に中継送信する。
【発明の効果】
【００２３】
請求項１に記載された発明によれば、給電開始後に照明制御装置及び複数の照明装置に予め付与された同じ識別符号が読み込まれて、照明制御装置及び複数の照明装置が識別符号を共有し、各照明装置が、受信した識別符号と自らに予め与えられた識別符号との判別を行うので、誤動作が防止される。そして、それぞれの符号が一致した場合に、前記照明指令情報の内容に基づいて自らの点灯状態を設定し、前記照明指令信号を無線で中継送信するので、照明制御装置からの無線が届かない場所に置かれた照明装置へも情報が伝達される。上記の構成によりＬＥＤ照明の制御が無線で安定して行えるようになり照明のＬＥＤ化が容易になる。
【００２４】
請求項２に記載された発明によれば、照明制御装置による前記照明指令信号の指令送信が所定の時間毎に行われる。送信が所定の時間毎に繰り返し行われることで照明制御装置が正常に稼働していることを照明装置が知ることになる。また、送信がランダムに生成された送信用ＩＤを伴いランダムな遅延時間後に行われるので照明装置間のループ中継が防止され互いの中継送信信号による妨害を防止することができる。
【００２５】
請求項３に記載された発明によれば、中継送信がランダムな時間遅延後に行われるので互いの信号による妨害を防止することができる。
【００２６】
請求項４に記載された発明によれば、前記照明制御装置からの前記照明指令信号の送信が所定の時間毎に行われなくなった場合に、点灯状態を前記初期状態に設定するので異常時にも照度が確保されて乗客の安全が担保される。
【００２７】
請求項５に記載された発明によれば、前記中継送信が送信用ＩＤの変わる度に行われるので、中継のループが防止され、照明制御システムの動作が安定化する。
【００２８】
請求項６に記載された発明によれば、前記指令送信及び前記中継送信が、識別符号により暗号化されて行われるので、他編成の列車が並んだ状態でも照明指令信号が混信することなく照明制御システムが安定に動作することができる。また意図的なシステムへの妨害を防ぐことができる。
【００２９】
請求項７に記載された発明によれば、照明制御装置が識別符号を設定され、その識別符号で暗号化された照明指令信号を所定の時間内な時間間隔に送信するので、照明制御装置の動作の確認が容易に行える。またランダムな遅延を加えた時期に暗号化して送信するので他の装置からの信号に妨害されることが少ない。
【００３０】
請求項８に記載された発明によれば、照明装置が識別符号を設定され、受信した暗号化された信号を識別符号で解読して、照明指令情報の指示する内容に基づいて自分の点灯状態を設定するので確実に照明装置の点灯状態の制御が行われる。また、受信した照明指令情報をランダムな時間遅延後に中継送信するので、他の照明装置との混信を起こし難く、照明制御装置から離れた場所に置かれた照明装置にも中継動作によって情報の伝達が行われる。
【図面の簡単な説明】
【００３１】
【図１】制御装置と室内灯（照明装置）との無線による通信状態の説明図である。
【図２】照明制御装置の構成図である。
【図３】照明制御装置及び照明装置間での伝送に使われるパケットの例である。
【図４】照明装置の構成図であって、（Ａ）は調光の場合、（Ｂ）は調色の場合である。
【図５】照明制御装置における処理のフロー図である。
【図６】照明装置における処理のフロー図である。
【発明を実施するための形態】
【００３２】
以下、図を用いて発明の詳細を説明する。図１乃至図６を参照して説明する。図１は、本発明の照明制御システムの構成図である。図２は照明制御装置の構成図である。図３は、図１に示された照明制御システムで用いられる伝送フレームフォーマットの説明図である。図４は図１に示された照明装置の構成図である。図５は、図２に示されたと照明制御装置の動作を示すフローチャートである。図６は、図４に示された照明装置の動作を示すフローチャートである。
【００３３】
図１は本発明の照明制御システム１で用いられる無線の照明制御装置２と照明装置である室内灯３の関係を示している。通常、照明制御装置２は鉄道車両の端部の乗務員室に置かれる。また、照明装置（室内灯）３は、車両の主に客室内に置かれる。列車には運行計画に従って編成符号が付与されており編成符号により列車間の識別が行われる。識別符号を編成符号に基づいて決めることで、識別符号が一意に定まる。照明制御装置及び照明装置には予めスイッチなどで車両編成毎に一意に決まる識別符号が与えられる。このスイッチが識別符号蓄積部に相当する。図１に示すように照明制御装置及び照明装置間で無線による情報のやり取りをおこなうために、それぞれに無線の通信手段が備えられている。
【００３４】
図２は照明制御装置の構成図である。車両情報設定部２９では照明情報のデータの入力と照明指令の内容の表示などが行われる。照明装置へ送られる照明指令情報は、図２の最下部にある調光／調色制御データ生成部によって入力された照明情報のデータに基づいて生成される。ここで調光とは照明の輝度を制御して環境の照度を変えることを言い、調色とは、３原色の割合を変えて色度を変えることを言う。環境に合わせて車両内の明るさと色具合を調整して快適な環境を提供するためである。
【００３５】
識別符号設定部としての識別ＩＤ・暗号化情報設定部２７には、列車編成を判別する識別符号としての識別ＩＤが設定されている。識別ＩＤは、編成番号等に基づいて予めディップスイッチなどで列車編成毎に一意に決まるＩＤが与えられる。また、識別ＩＤ・暗号化情報設定部２７は、調光／調色に関する照明指令情報や後述する送信用ＩＤを暗号化するための情報が設定されている。
【００３６】
調光／調色制御データ生成部２６では外部からの設定情報に基づいて調光／調色制御データを生成する。生成された調光／調色制御情報は、識別ＩＤ（識別符号）暗号化情報設定部２７で暗号化され、さらに多重化・パケット化回路２５で送信に適したパケットにされる。
【００３７】
暗号化されたパケットはメモリ回路２４へ送られ蓄積される。メモリは別に用意しても良いが、ＣＰＵに内蔵されるものを用いても良い。メモリに蓄えられてパケットは変調回路２３で適宜な搬送波を変調して送信回路２２から外部へアンテナ２１を介して送信される。搬送波は、電波でも光でも良い。搬送波が光の場合はレンズなどの光学系がアンテナ２１となる。
【００３８】
メモリ回路２４は、多重化・パケット化部２５が生成した各種送信情報を蓄積する。変調回路２３は、メモリ回路２４に蓄積された各種送信情報を読み出して、変調回路２３で適宜な搬送波を変調した信号をアンテナ２１に出力して、照明指令信号として照明装置３に指令送信する。
【００３９】
タイミング生成部２８は、メモリ回路２４の読み出しタイミングや、変調回路２５の変調タイミング等を制御する。これらのタイミングは、予め定めた一定周期（一定時間間隔）やランダムな周期で行われる。なお、ランダムな周期とは上限と下限が設定された範囲内におけるランダムな値に基づく周期である。
【００４０】
上記に説明した、多重化・パケット化部２５と、メモリ回路２４と、変調回路２３と、アンテナ２１と、タイミング生成部２８と、が制御装置の無線通信手段を構成する。
【００４１】
照明制御装置１から送信する各種情報は、暗号化されて送信に適した形式のパケットにされる。暗号化のキーは任意であるが、一意に決まる識別符号を暗号化のキーとして用いることで、暗号解読を行う照明装置へ暗号キーを送付する手間が省ける。以上の処理はデジタル的に行うので、ＣＰＵを用いたり専用の処理用のＬＳＩを使うことが好ましい。
【００４２】
図３に調光照明指令情報や識別符号設定情報を構成するパケットの伝送フレームフォーマットの例を示す。図３に示した伝送フレームフォーマットは、先頭からＳＴＸ、Ｔｅｘｔ、ＥＴＸ、ＳＵＭの順に並んでいる。ＳＴＸは、フレームの先頭を示し、８ビットで構成されていてＴｅｘｔの属性を表示することもできる。Ｔｅｘｔは、送信データを示し、１２８ビットで構成されている。ＥＴＸは、Ｔｅｘｔの終端を示し、８ビットで構成されている。ＳＵＭは、チェックサムを示し、１６ビットで構成されている。Ｔｅｘｔの中に暗号化された情報が設定される。
【００４３】
上述した構成の照明制御装置２は、電源が給電開始された後、識別ＩＤ・暗号化情報設定部２７に設定されている識別符号を用いて暗号化を行い、パケットを多重化・パケット化部２５で生成し、メモリ回路２４に蓄積する。その後、タイミング生成部２８が生成したタイミングにしたがって、当該パケットがメモリ回路２４から読み出されて、変調回路２３で変調され送信される。
【００４４】
次に、照明装置について図４の構成図を用いて説明する。（Ａ）は調光のみの場合、（Ｂ）は色の異なる発光部を制御して色度を調節する調色の場合である。照明装置は常時は送信／受信切替回路４２により受信モードになっていて外部からの信号を待っている。受信された信号は復調回路でデジタル信号として個の復調には暗号解読のためのキーは暗号化情報設定部から得られる。パケットデータが再生される。（Ａ）では、色度を保持した状態で全色のＬＥＤの輝度が同時に制御される。（Ｂ）では、色の異なるＬＥＤがそれぞれ目的の色度を実現するように制御される。
【００４５】
まず図４（Ａ）の構成を説明する。図４（Ａ）は調光のみが行える照明装置３の構成である。照明装置３は、各種情報設定部４６と、アンテナ４１と、送信／受信切替回路４２と、復調回路４３と、調光回路４４と、発光部４５と、遅延回路４８と、変調回路４７と、を備えている。
【００４６】
識別符号格納部としての各種情報設定部４６は、照明制御装置２から設定される識別ＩＤが格納されるメモリ等の識別符号格納部を有している。各種情報設定部４６は、識別ＩＤ・暗号化情報設定部４６と同様に暗号キー等も設定される。
【００４７】
送信／受信切替回路４２は、アンテナ４１からの送信または受信を切り替える。送信の場合は、変調回路４７で変調された信号をアンテナ４１に出力して、照明制御装置２や他の照明装置３に送信する。受信の場合は、アンテナ４１が受信した信号を復調回路４３に出力する。
【００４８】
復調回路４３は、アンテナ４１が受信した信号を復調するとともに暗号化されていた場合は暗号を復号化する。調光回路４４は、復調回路で復調された調光に係る照明指令情報から取得した調光／調色制御データに基づいて調光を行う。発光部４５は、例えばＬＥＤで構成され、調光回路４４の制御により輝度が調節（調光）される。
【００４９】
遅延回路４８は、復調回路４３が復調し、復号化した調光に係る照明指令情報や識別符号中継送信するための送信タイミングを調整するために遅延回路４８で変調するタイミングを遅延させる。つまり、遅延回路４８は、タイミング生成部２８と同様に、変調回路４７の変調タイミングを制御する。このタイミングは、タイミング生成部２８と同様に、予め定めた一定周期（一定時間間隔）やランダムな周期で行われる。変調回路４７は、遅延回路４８で遅延された情報を暗号化及び再変調してアンテナ４１から送信する。
【００５０】
次に図４（Ｂ）の構成を説明する。図４（Ｂ）は調光と調色が行える照明装置３の構成である。図４（Ａ）とは、調光回路（Ａ）、（Ｂ）と、発光部（Ａ）、（Ｂ）がそれぞれ設けられている点が異なる。
【００５１】
図４（Ｂ）に示した構成は、調色、即ち色度を変えることができるため、複数色（図では２色）それぞれに対応して調光回路（Ａ）、（Ｂ）と、発光部（Ａ）、（Ｂ）が設けられている。そして、調光照明指令情報から取得した調光／調色制御データに基づいて色度をそれぞれ変更する。
【００５２】
以上の説明から明らかなように、アンテナ４１と、送信／受信切替回路４２と、復調回路４３と、遅延回路４８と、変調回路４７と、が照明装置の無線通信手段を構成する。
【００５３】
上述した構成の照明装置３は、電源が給電されてから所定時間内にアンテナ４１で受信した信号から復調回路で識別符号設定情報を復調し、識別ＩＤを各種情報設定部４６に格納して設定するとともに、照明指令情報を再度変調してアンテナ４１から送信する（照明指令情報を中継送信する）。各種情報設定部４６に識別ＩＤが設定された後は、アンテナ４１で受信した信号から調光に係る照明指令情報を復調し、設定された識別ＩＤと一致する調光に係る照明指令情報の調光／調色制御データに基づいて調光回路４４等で発光部の輝度や色度を調節して調光や調色を行うとともに、調光に係る照明指令情報を再度変調してアンテナ４１から送信する（調光照明指令情報を中継送信する）。
【００５４】
（照明制御装置の動作フロー）
図５は照明制御装置２の動作を示すフローチャートである。ＳＣ１０〜ＳＣ３０は初期設定である。電源が投入されると初期設定の後は点灯情報の送信を繰り返す。最初のステップＳＣ００で電源投入が行われる。鉄道車両の場合全車両に同時に給電が開始される。電源が入ると識別符号を予め設定された識別符号蓄積部から識別符号（識別ＩＤ）の読み込みを行う（ＳＣ１０）。符号蓄積部は、スイッチでも良いが、ＲＯＭのようなソフト的な情報でも良い。ソフト的な書き込みの場合は、識別符号の書き込みモードを指定して、点灯制御装置の外部から有線或いは無線で情報を送ることで実現できる。この場合は識別ＩＤ設定用のパケットを用いる。次に、送信回数を制御するための送信用ＩＤを初期化する（ＳＣ２０）。また、照明指令情報を初期状態に設定する（ＳＣ３０）。初期状態では、例えば、照明色を電球色として調光率を１００％に設定する。これがデフォルトの点灯状態である。ここまでが、初期設定動作である。
【００５５】
次に、点灯情報の繰り返し送信について説明する。送信を所定の時間内に行う場合は初期値で送信用タイマをセットする（ＳＣ４０）。カウントアップタイマの場合、オーバーフローするまでのクロック数を引いた値をセットすることになる。また、ランダムな間隔で送信する場合はカウントアップタイマにセットする値をランダムに変えることになる。カウントアップタイマをセットした後は、制御装置が外部から操作されたか否かを判断する（ＳＣ５０）。外部から操作された場合（Ｙｅｓ）の場合は照明指令情報を操作で指定された内容に設定する（ＳＣ６０）。また、制御装置が操作されていない場合は、ＳＣ６０をスキップする。
【００５６】
次に、送信用タイマｔｓがオーバーフローしているか否かを判別する（ＳＣ７０）。送信用タイマがオーバーフローすることで、送信準備に入る（Ｙｅｓ）。オーバーフローしていないときは、まだ、送信の時期では無いので、照明制御装置への入力を監視する（ＳＣＶ５０）。
【００５７】
送信準備に入ると、送信用ＩＤをランダムに生成する。この送信用ＩＤで後述する照明装置で照明指令情報が中継送信される際に複数の送信元でループを作らないように制御するために使われる。
【００５８】
次に、識別ＩＤを基に指令情報、識別ＩＤ，送信用ＩＤの暗号化処理を行い、暗号化情報を生成する（ＳＣ９０）。暗号化のキ―は編成符号を識別符号に用いて他の列車の照明制御システムと重ならないものを選ぶ。
【００５９】
他装置との衝突を回避するためにランダムな待ち時間で待機する（ＳＣ１００）。所定の時間経過後に、パケット化されたデータを送信する。パケットの形式は例えば図３に示すようなものを用いる。図３のＴｘｔの部分に１２８ビットビットの情報を載せる。情報の内容は、暗号化された照明指令情報、識別符号、送信用ＩＤである。送信後は送信用タイマの設定（ＳＣ４０）へ戻り、送信動作を繰り返す。送信用タイマｔｓを初期値からのカウントアップでオーバーフローさせることで所定の時間内での繰り返し動作を確保する。
【００６０】
（照明装置の動作フロー）
図６に示すフローチャートを用いて照明装置の動作の詳細を説明する。ＳＲ００からＳＲ５０までは初期設定である。動作は電源投入から始まる（ＳＲ００）。鉄道車両の場合、全車両が同時に電源投入されるので、車両に設置された全ての照明装置が初期設定の動作を同時に行う。電源が投入さると予め設定された識別符号（ＩＤ）の読み込みを行い（ＳＲ１０）、受信済ＩＤを初期化する（ＳＲ２０）。また、点灯状態を初期状態に設定する（ＳＲ３０）。照明指令の情報が来るまでは、照明装置は初期状態で点灯することになる。次に、指令情報受信フラグをＦＡＬＳＥに設定する（ＳＲ４０）。そして、受信タイマｔRを初期値にセットしてスタートさせる（ＳＲ５０）。
【００６１】
次に、暗号化情報の受信をしているか否かを判別する（ＳＲ６０）。暗号化情報を受信していれば暗号化情報を複合して、照明に係る指令情報、識別ＩＤ，送信用ＩＤを取り出す（ＳＲ７０）。また、暗号化情報を受信していなければＳＲ７０〜ＳＲ１１０の受信処理をスキップしてＳＲ１２０へ移行する。
【００６２】
取り出した識別ＩＤと自装置へ設定されている識別ＩＤとが同じか否かを判別する（ＳＲ８０）。
【００６３】
次に、重複送信を避ける判断のために今回受信した送信用ＩＤと過去５回分の受信済みの送信用ＩＤとの一致を調べる（ＳＲ９０）。この５回という数字は、全車両に同じ送信用ＩＤの情報が滞留する最大時間を超えるように選ばれる。今回受信した送信用ＩＤと過去５回分の受信済みの送信用ＩＤとが一致しない場合は新しい暗号化情報と判断して受信済みＩＤを今回受信した送信用ＩＤで設定する（ＳＲ１００）。５回分のメモリーの中で古いものが削除されて書き換えられていくことになる。
【００６４】
受信の処理が終わるので指令情報受信フラグをＴＲＵＥに設定する（ＳＲ１１０）。
【００６５】
ＳＲ６０、ＳＲ８０，ＳＲ９０で、Ｎｏの場合はは全てＳＲ１２０以降の送信動作へ移行する。
【００６６】
受信用タイマは暗号化情報が所定の時間内に繰り返し送信されていることを確認するために設けられている。初期設定でスタートした受信用タイマｔRがオーバーフローしたか否かを判別する（ＳＲ１２０）。オーバーフローしている場合は、送信処理へ移行する。オーバーフローしていない場合は、受信処理へ戻る。
【００６７】
送信を繰り返し行うために初期値にて受信用タイマｔRをスタートさせる。次に指令情報受信フラグを調べ、ＴＲＵＥであれば照明指令情報を正常に受信する受信処理が行われたと判断して点灯状態を指令情報に設定する（ＳＲ１５０）。ＴＲＵＥでなければ受信処理が行われなかったと判断して点灯状態を初期情報に設定する（ＳＲ１９０）。
【００６８】
次に受信した暗号化情報を中継送信する。複数の照明装置が同時に発信することを避けるためにランダムな時間遅延を実施する（ＳＲ１６０）。
【００６９】
遅延時間の経過後に暗号化情報を送信する（ＳＲ１７０）。これで、暗号化情報を受信して、中継送信するという一連の動作が終了するので指令情報受信フラグをＦＡＬＳＥに設定する（ＳＲ１８０）。上記の処理が全て終わると信号受信を待つＳＲ６0へ戻る。
【００７０】
以上、本発明の実施の形態を図面によって説明してきたが、具体的な構成は実施の形態に限られるものではなく、本発明の要旨を逸脱しない範囲における変更は追加があっても本発明の範囲に含まれる。
【符号の説明】
【００７１】
１  照明制御システム
２  照明制御装置
３  室内灯（照明装置）
２１  アンテナ
２２  送信回路
２３  変調回路
２４  メモリ回路
２５  多重化・パケット化回路
２６  調光／調色制御データ生成部
２７  識別ＩＤ（識別符号）、暗号化情報設定部
２８  ランダム周期又は一定周期タイミング生成部
２９  車両情報設定部
４１  アンテナ
４２  送信／受信切替回路
４３  復調回路
４４  調光回路
４５  発光部
４６  識別ＩＤ、暗号化情報設定部
４７  変調回路
４８  遅延回路
４９  調光回路
５０  発光部
【図１】
2015041548.tif 000003
【図２】
2015041548.tif 000004
【図３】
2015041548.tif 000005
【図４】
2015041548.tif 000006
【図５】
2015041548.tif 000007
【図６】
2015041548.tif 000008